(57)【要約】【課題】高価な大容量コンデンサを搭載しなくとも、効果的に電源電圧の変動によるオーバーシュートを低減することができる直流電源装置及び前記直流電源装置を備えた電子制御装置を提供する。【解決手段】電源２０と負荷回路３０との間に直列接続されるブーストトランジスタ４０に流れる電流をその帰還電圧に基づいて制御することにより所定の出力電圧に調整する電圧制御回路１１と、前記負荷回路３０と並列に接続される擬似負荷回路５０への通電を制御する負荷電流制御回路１２を備えている。【選択図】図１
2007316811.tif 000002
【特許請求の範囲】
【請求項１】
電源と負荷回路との間に直列接続されるブーストトランジスタに流れる電流をその帰還電圧に基づいて制御することにより所定の出力電圧に調整する電圧制御回路と、前記負荷回路と並列に接続される擬似負荷回路への通電を制御する負荷電流制御回路を備えている直流電源装置。
【請求項２】
前記負荷電流制御回路は、前記ブーストトランジスタへの入力電圧が許容低位電圧より低いときに前記擬似負荷回路に通電する請求項１記載の直流電源装置。
【請求項３】
前記負荷電流制御回路は、前記電源から前記ブーストトランジスタへの電源投入時に前記擬似負荷回路に通電する請求項１または２記載の直流電源装置。
【請求項４】
前記負荷電流制御回路は、前記ブーストトランジスタの出力電圧が許容高位電圧より高いときに前記擬似負荷回路に通電する請求項２から４の何れかに記載の直流電源装置。
【請求項５】
前記負荷電流制御回路は、前記ブーストトランジスタの出力電圧が許容高位電圧より高い状態が所定時間継続するときに前記擬似負荷回路に通電する請求項４記載の直流電源装置。
【請求項６】
前記負荷電流制御回路は、前記ブーストトランジスタの飽和時に前記擬似負荷回路に通電する請求項１から５の何れかに記載の直流電源装置。
【請求項７】
前記負荷電流制御回路は、前記ブーストトランジスタへの入力電流が許容低位電流より小さいときに前記擬似負荷回路に通電する請求項１から６の何れかに記載の直流電源装置。
【請求項８】
前記負荷電流制御回路は、前記負荷回路の作動状態に基づいて前記擬似負荷回路への通電を制御する請求項１から７の何れかに記載の直流電源装置。
【請求項９】
前記負荷電流制御回路は、前記擬似負荷回路の負荷を可変制御する請求項１から８の何れかに記載の直流電源装置。
【請求項１０】
温度検出手段をさらに備え、検出温度が所定温度より高くなるときに、前記負荷電流制御回路は前記擬似負荷回路への通電を停止する請求項１から９の何れかに記載の直流電源装置。
【請求項１１】
請求項１から１０の何れかの直流電源装置を搭載した電子制御装置。
【発明の詳細な説明】
【技術分野】
【０００１】
本発明は、電源と負荷回路との間に直列接続されるブーストトランジスタに流れる電流をその帰還電圧に基づいて制御することにより所定の出力電圧に調整する電圧制御回路を備えている直流電源装置に関する。
【背景技術】
【０００２】
バッテリ等の電源から制御機器（例えば、車両における電子制御装置）に電力を供給する場合、前記制御機器を正常に動作させるために一定の電圧を供給する必要がある。そのため、出力電圧を監視して一定の出力電圧に維持するシリーズレギュレータが前記電源と前記制御機器との間に設けられている。
【０００３】
特許文献１には、イグニッションスイッチをオンした場合等に１２Ｖ程度のバッテリ電圧に１００Ｖ以上のサージ電圧が付加されるような車両用の直流電源装置として、高耐圧のブーストトランジスタ及びブーストトランジスタ駆動用のトランジスタをディスクリート素子で構成するとともに、電圧制御回路を低耐圧の安価なＩＣで構成し、外付けのブーストトランジスタからＩＣの耐圧よりも低い定電圧を電源として供給するものが示されている。
【０００４】
当該特許文献１には、入力電圧が規定値以下となりブーストトランジスタが飽和するとそれ以降出力電圧が電源電圧にほぼ等しくなり、電源電圧の低下と共に低下する一方、ブーストトランジスタの駆動電流が急激に増加するという問題を解決するべく、入出力経路上に接続した第１のトランジスタと、該第１のトランジスタの駆動用の第２のトランジスタと、基準電圧と前記第１のトランジスタの出力側電圧とを比較しその差に応じた電流を発生して前記第２のトランジスタのベースに供給する第１の差動増幅器とを備えるシリーズレギュレータにおいて、前記第１のトランジスタのエミッタ−コレクタ間電圧が一定値以下となった場合、つまり、前記ブーストトランジスタが飽和状態に近づいたときに導通する第３のトランジスタと、該第３のトランジスタの導通を検出して前記第２のトランジスタのベース電位をクランプする電流検出回路とを設け、かつ前記第１のトランジスタを外付け素子で構成し、前記第１の差動増幅器、第２、第３のトランジスタおよび前記電流検出回路をＩＣとして一体に構成したシリーズレギュレータが提案されている。
【０００５】
また、特許文献２には、入力電圧 と直流出力電圧との入出力特性を損なうことなく、コンデンサのリップル電流を減少させてその異常発熱を防止すると共に、電源瞬断時の平滑電圧の変動を防止することのできる車両用制御装置の電源回路を提供することを目的として、入力電圧のリップルを抑制して平滑電圧とするコンデンサを備えた車両用制御装置の電源回路において、前記コンデンサへの入力電圧の供給通路へその第１および第２の電極間が接続されたスイッチング手段と、前記入力電圧と前記平滑電圧とを比較し、入力電圧が平滑電圧よりも高い場合には前記スイッチング手段の第３の電極を駆動電極として前記第１および第２の電極間を導通状態とし、入力電圧が平滑電圧よりも低い場合には前記スイッチング手段の第３の電極を駆動電極として前記第１および第２の電極間を非導通状態とする一方、その動作用電源を前記入力電圧とする制御手段とを備えたことを特徴とする車両用制御装置の電源回路が提案されている。
【０００６】
【特許文献１】特開２００１−３３７７２９号公報
【特許文献２】特開平６−９８４７８号公報
【発明の開示】
【発明が解決しようとする課題】
【０００７】
しかし、上述の特許文献１に記載されたようなシリーズレギュレータは、負荷回路として組み込まれた電子制御装置や各種のセンサ等の動作状態、つまり消費電流の変動に対応すべく、無負荷電流から最大負荷電流を想定して安定した出力電圧を維持することが要求されるが、イグニッションスイッチのオン時に生じるサージ電圧等、車両の走行状態によってバッテリ電圧が大きく変動すると、電圧制御回路の応答遅れにより出力電圧にオーバーシュートが発生し、極端な場合には負荷回路として組み込まれた電子制御装置のＣＰＵがその耐圧を超えて破壊される虞があった。
【０００８】
このようなオーバーシュートは、発生頻度は少ないものの無負荷状態にあるときの電源電圧の変動や、電源電圧が低下してブーストトランジスタが飽和状態にあるときの電源電圧の変動時に特に大きくなる。
【０００９】
そこで、一般的にはブーストトランジスタの出力側に容量の大きなコンデンサを設ける等の対策が行われているが、大容量のコンデンサを用いると基板面積の増大や部品コストの増大を招くという問題があった。
【００１０】
尚、上述の特許文献２に記載された電源回路であっても、スイッチング手段を構成するトランジスタが飽和状態にあるときに大きな電源電圧の変動が生じたときにはオーバーシュートが生じるという同様の問題がある。
【００１１】
本発明の目的は、上述した従来の問題点に鑑み、高価な大容量コンデンサを搭載しなくとも、効果的に電源電圧の変動によるオーバーシュートを低減することができる直流電源装置及び前記直流電源装置を備えた電子制御装置を提供する点にある。
【課題を解決するための手段】
【００１２】
上述の目的を達成するため、本発明による直流電源装置の特徴構成は、電源と負荷回路との間に直列接続されるブーストトランジスタに流れる電流をその帰還電圧に基づいて制御することにより所定の出力電圧に調整する電圧制御回路と、前記負荷回路と並列に接続される擬似負荷回路への通電を制御する負荷電流制御回路を備えている点にある。
【００１３】
上述の構成によれば、バッテリ電圧の急激な変動時に電圧制御回路の応答遅れがあっても、前記負荷電流制御回路によって前記擬似負荷回路へ通電させることによって、ブーストトランジスタをより早期に飽和状態から復帰させることができるので、効果的にオーバーシュートを低減させることができるのである。
【発明の効果】
【００１４】
以上説明した通り、本発明によれば、高価な大容量コンデンサを搭載しなくとも、効果的に電源電圧の変動によるオーバーシュートを低減することができる直流電源装置及び前記直流電源装置を備えた電子制御装置を提供することができるようになった。
【発明を実施するための最良の形態】
【００１５】
以下に、本発明による直流電源装置の実施形態について説明する。図１に示すように、前記直流電源装置１０は、車両に搭載される電源２０つまりバッテリと負荷回路３０である電子制御装置の間に直列接続される高耐圧のブーストトランジスタ４０と、前記ブーストトランジスタ４０に流れる電流をその帰還電圧に基づいて制御することにより所定の出力電圧に調整するＩＣでなる電圧制御回路１１と、前記負荷回路３０と並列に接続される擬似負荷回路５０への通電を制御する負荷電流制御回路１２とを備えて構成されている。
【００１６】
前記電圧制御回路１１は、図２（ａ）に示すように、前記ブーストトランジスタ４０の出力電圧を分圧して帰還電圧を生成する抵抗Ｒ１，Ｒ２と、前記ブーストトランジスタ４０の出力電圧を設定するための基準電圧を生成する基準電圧電源１１０と、前記帰還電圧と前記基準電圧を比較する誤差増幅器１１１とを備えて構成され、前記誤差増幅器１１１の出力端子が前記ブーストトランジスタ４０のベースに接続されている。
【００１７】
前記帰還電圧を前記誤差増幅器１１１の反転入力端子に入力するとともに、前記基準電圧を前記誤差増幅器１１１の非反転入力端子に入力してあり、前記電圧制御回路１１は、前記帰還電圧が前記基準電圧より小さいときには前記ブーストトランジスタ４０の出力電流を増加して前記出力電圧が高くなるように、前記帰還電圧が前記基準電圧より大きいときには前記ブーストトランジスタ４０の出力電流を抑制して出力電圧が低くなるように制御する。
【００１８】
前記基準電圧電源１１０は、例えば、図２（ｂ）に示すように、前記ブーストトランジスタ４０のエミッタ電圧を抵抗Ｒ３とツェナーダイオード１１２で分圧することによって実現することができる。
【００１９】
また、前記電圧制御回路１１は、図１及び図２に示すように、前記誤差増幅器１１１の発振を防止するための外付けの発振防止用コンデンサＣ１が接続され、前記ブーストトランジスタ４０の後段には、出力電圧を安定させるためのバイパスコンデンサＣ２が設けられている。
【００２０】
前記負荷電流制御回路１２は、前記負荷回路３０と並列に接続される擬似負荷回路５０への通電を制御するスイッチ回路１２０と、前記スイッチ回路１２０をオンまたはオフ制御することにより前記ブーストトランジスタ４０からの出力電圧に異常なオーバーシュートが発生することを回避するスイッチ制御回路１２１とを備えて構成され、前記スイッチ制御回路１２１は、後述する複数の態様で実現される。
【００２１】
前記擬似負荷回路５０は、図３に示すような抵抗負荷Ｒ４、図４に示すような容量負荷Ｃ３、図５に示すような定電流回路等で構成することができる。負荷抵抗Ｒ４の追加は容易でありその値が小さいほど出力電圧が安定するが、発熱の問題があるため通常１ＫΩ程度の値に設定するのが好ましく、容量負荷Ｃ３はあまり大きな値に設定すると電源オフ時の遮断特性が悪化するため、通常１００μＦ程度の値に設定するのが好ましく、出力電圧がオーバーシュートしたときにのみスイッチ回路１２０をオンする場合に効果的であり、定電流回路は図示の回路の他、カレントミラー回路等により適宜構成することができ、回路の集積化が容易で安価に構成できる。
【００２２】
このような擬似負負荷回路５０は、前記電圧制御回路１１を構成する集積回路に組み込むことが可能であり、また、前記集積回路とは別にディスクリート素子として実現することも可能である。何れの場合であっても、具体的な素子や回路の選定は使用される負荷回路３０の特性や前記スイッチ制御回路１２１の特性等に基づいて適宜選定されるものである。
【００２３】
以下、前記負荷電流制御回路１２の複数の実施形態について説明する。
【００２４】
第一の実施形態として、前記負荷電流制御回路１２は、前記ブーストトランジスタ４０への入力電圧が許容低位電圧より低いときに前記擬似負荷回路５０に通電するように構成することができる。
【００２５】
詳述すると、前記負荷電流制御回路１２は、図６に示すように、前記擬似負荷回路５０への電流の導通と遮断を切り替えるスイッチ回路１２０と、前記ブーストトランジスタ４０への入力電圧を検出して、予め設定された許容低位電圧より低いときに前記スイッチ回路１２０をオンに切り替える一方、前記入力電圧が前記許容低位電圧以上であるときに前記スイッチ回路１２０をオフに切り替える入力電圧モニタ回路１２１ａでなるスイッチ制御回路１２１で構成することができる。
【００２６】
例えば、エンジン始動時のクランキング動作によりバッテリ電圧が低下すると前記ブーストトランジスタ４０が飽和状態に移行するが、このときにイグニッションコイルの作動等により大きなノイズ電圧が印加されるとオーバーシュートが発生し易くなる。そのような場合に上述の入力電圧モニタ回路１２１ａを設けて、前記ブーストトランジスタ４０が飽和するような許容低位電圧からの低下を検出したときには、前記擬似負荷回路５０へ通電させて強制的に負荷を重くすることにより、前記ブーストトランジスタ４０を飽和状態から早期に回復させてオーバーシュートを低減することが可能となるのである。
【００２７】
前記入力電圧モニタ回路１２１ａは、前記電圧制御回路１１を構成する集積回路に組み込むことが可能であり、図７に示すように、前記電圧制御回路１１に内蔵される基準電圧回路（ＢＧＲ）により生成される１．２５Ｖの基準電圧と、抵抗分割された前記ブーストトランジスタ４０の入力電圧を比較するコンパレータで構成することができ、前記コンパレータの出力により前記スイッチ回路１２０を制御することができる。
【００２８】
第二の実施形態として、前記負荷電流制御回路１２は、前記電源２０から前記ブーストトランジスタ４０への電源投入時に前記擬似負荷回路５０に通電するように構成することができる。
【００２９】
詳述すると、前記負荷電流制御回路１２は、図８に示すように、前記擬似負荷回路５０への電流の導通と遮断を切り替えるスイッチ回路１２０と、前記電源２０から負荷回路３０への給電ラインに設けられた電源スイッチ２１の状態を検出することにより前記電源の非給電状態から給電状態への変動を検知する電源投入検知回路１２１ｂでなるスイッチ制御回路１２１で構成することができる。尚、前記電源投入検知回路１２１ｂも、前記電圧制御回路１１を構成する集積回路に組み込むことが可能である。
【００３０】
レギュレータ起動時、つまり前記電圧制御回路１１により前記ブーストトランジスタ４０が起動する際のオーバーシュートレベルはその負荷状態により異なり、前記ブーストトランジスタ４０が飽和状態からの復帰動作における無負荷、または負荷容量が極小である場合に大きくなる。そこで、電源投入時に意図的に擬似負荷に電流を流すことによりオーバーシュートレベルの低減を図ることができる。この場合、前記電源投入検知回路１２１ｂにタイマ回路を設けて、前記スイッチ回路１２０のオン時間を数ミリ秒から十数ミリ秒に制御することが好ましい。
【００３１】
第三の実施形態として、前記負荷電流制御回路１２は、前記ブーストトランジスタ４０の出力電圧が許容高位電圧より高いときに前記擬似負荷回路５０に通電するように構成することができる。
【００３２】
詳述すると、前記負荷電流制御回路１２は、図９に示すように、前記擬似負荷回路５０への電流の導通と遮断を切り替えるスイッチ回路１２０と、前記ブーストトランジスタ４０からの出力電圧を検出して、予め設定された許容高位電圧より高いときに、前記スイッチ回路１２０をオンに切り替えて前記擬似負荷回路５０へ電流を導通させる一方、前記出力電圧が許容高位電圧以下であるときには、前記スイッチ回路１２０をオフに切り替えて前記擬似負荷回路５０への電流を遮断させる出力電圧モニタ回路１２１ｃとしてのスイッチ制御回路１２１で構成することができる。
【００３３】
尚、前記出力電圧モニタ回路１２１ｃにより許容高位電圧以下となったことが確認されると、前記スイッチ回路１２０をオンからオフに切り替えられる。また、前記出力電圧モニタ回路１２１ｃも、前記電圧制御回路１１を構成する集積回路に組み込むことが可能である。
【００３４】
許容高位電圧は、前記負荷回路３０を構成する電子制御装置のＣＰＵ等の耐圧を考慮して設定することができ、これによりＣＰＵ等の破損を招く前に効果的にオーバーシュート状態から復帰させることができる。
【００３５】
第四の実施形態として、上述の第三の実施形態に加えて、前記負荷電流制御回路１２は、前記ブーストトランジスタ４０の出力電圧が許容高位電圧より高い状態が所定時間継続するときに前記擬似負荷回路５０に通電するように構成することができる。
【００３６】
この場合、図１０に示すように、前記スイッチ制御回路１２１にタイマ回路１２１ｄを加え、前記出力電圧モニタ回路１２１ｃにより許容高位電圧以上の電圧値が検出される時間を前記タイマ回路１２１ｄで検出し、所定時間継続して許容高位電圧以上の電圧値が検出されたときに前記スイッチ回路１２０をオンさせるように構成することができる。これらの回路も前記電圧制御回路１１を構成する集積回路に組み込むことが可能である。
【００３７】
上述の構成によれば、許容高位電圧より高いオーバーシュート状態が前記負荷回路３０を構成する電子制御装置のＣＰＵ等を破損する虞のある時間継続したときにのみ前記擬似負荷回路５０へ通電させることにより、ＣＰＵ等の破損を招くことの無い瞬間的に付加されるノイズを除外して前記擬似負荷回路５０による不要な消費電流の増加を回避することができる。
【００３８】
第五の実施形態として、前記負荷電流制御回路１２は、前記ブーストトランジスタの飽和時に前記擬似負荷回路５０に通電するように構成することができる。
【００３９】
詳述すると、前記負荷電流制御回路１２は、図１１に示すように、前記擬似負荷回路５０への電流の導通と遮断を切り替えるスイッチ回路１２０と、前記ブーストトランジスタ４０の入力電圧及び出力電圧との電圧差を算出して、前記電圧差が所定電圧以下の場合に、前記ブーストトランジスタ４０が飽和状態にあると判断して、前記スイッチ回路１２０をオンに切り替えるブーストトランジスタ飽和検知回路１２１ｅとしてのスイッチ制御回路１２１で構成することができる。同様に、前記ブーストトランジスタ飽和検知回路１２１ｅも前記電圧制御回路１１を構成する集積回路に組み込むことが可能である。
【００４０】
先に説明したように、前記ブーストトランジスタ４０が飽和状態または飽和状態に近づいたときに入力電圧に大きな変動が生じると出力電圧にオーバーシュートが発生し易くなるため、事前にその飽和状態を検知して前記擬似負荷回路５０へ通電することにより前記ブーストトランジスタ４０の飽和状態からの復帰を早めることによりオーバーシュートを低減することができるようになる。
【００４１】
第六の実施形態として、前記負荷電流制御回路１２は、前記ブーストトランジスタ４０への入力電流が許容低位電流より小さいときに前記擬似負荷回路５０に通電するように構成することができる。
【００４２】
詳述すると、前記負荷電流制御回路１２は、図１２に示すように、前記擬似負荷回路５０への電流の導通と遮断を切り替えるスイッチ回路１２０と、前記ブーストトランジスタ４０の前段に設けられた過電流保護用の抵抗Ｒ５の両端電圧を検出し、検出された電流値が許容低位電流より小さいときに前記スイッチ回路１２０をオンに切り替える入力電流検出回路１２１ｆとしてのスイッチ制御回路１２１で構成することができる。同様に、前記入力電流検出回路１２１ｆも前記電圧制御回路１１を構成する集積回路に組み込むことが可能である。
【００４３】
上述の構成は、前記ブーストトランジスタ４０への入力電流が小さいときに前記負荷回路３０が軽負荷であると判断し、前記擬似負荷回路５０へ通電してオーバーシュートが発生した場合に前記オーバーシュートを低減するものである。
【００４４】
第七の実施形態として、前記負荷電流制御回路１２は、前記負荷回路３０の作動状態に基づいて前記擬似負荷回路５０への通電を制御するように構成することができる。
【００４５】
詳述すると、前記負荷電流制御回路１２は、図１３に示すように、前記擬似負荷回路５０への電流の導通と遮断を切り替えるスイッチ回路１２０と、電子制御装置としての負荷回路３０が車両に搭載されている特定の駆動負荷６０を作動制御するタイミングや期間を検出し、そのタイミングまたは期間に前記スイッチ回路１２０をオンに切り替える特定負荷作動状態検出回路１２１ｇとしてのスイッチ制御回路１２１で構成することができる。この場合、前記特定負荷作動状態検出回路１２１ｇは、前記負荷回路３０を構成するＣＰＵ及びその実効プログラムまたは周辺回路に組み込むことができる。
【００４６】
前記特定の駆動負荷６０としては、スタータモータやイグニッションコイル等が挙げられ、特定負荷作動状態検出回路１２１ｇは、その駆動により電源電圧が低下し、或いは、電源電圧に大きなノイズが発生するタイミングまたは期間に前記擬似負荷回路５０へ通電することにより、オーバーシュートが発生する時期を予測して事前に対処することができるようになる。このようなタイミングや期間はエンジンの始動時に限定されるものではなくエンジン負荷の大きな高速回転時等オーバーシュートの発生が想定される任意のタイミングや期間に前記擬似負荷回路５０へ通電することができる。この場合、上述した複数の実施形態によるスイッチ制御回路１２１からの出力の論理積により前記スイッチ回路１２０をオン制御することが効果的である。
【００４７】
上述した何れの実施形態においても、前記擬似負荷回路５０は、上述した抵抗負荷Ｒ４、容量負荷Ｃ３、定電流回路等で構成することができるが、図１４に示すように、前記擬似負荷回路５０を、容量負荷Ｃ４と、容量負荷Ｃ４へ電荷を蓄積させるための第一スイッチ回路１２０ａと、前記容量負荷Ｃ４に蓄えられた電荷を放電させる第二スイッチ回路１２０ｂとを備えて、スイッチ制御回路１２１により前記スイッチ回路１２０ａ，１２０ｂのスイッチング周波数を可変に制御することにより前記擬似負荷回路５０のインピーダンスを可変制御できるように構成するものであってもよい。
【００４８】
詳述すると、スイッチ制御回路１２１により前記第一スイッチ回路１２０ａと前記第二スイッチ回路１２０ｂのオン状態とオフ状態を交互に切り替えることにより容量負荷Ｃ４が充放電されるのであるが、その際の切替周波数を可変にすることによりインピーダンスを可変制御するものである。
【００４９】
このような擬似負荷回路５０は、複数の抵抗負荷と各抵抗負荷を切り替えるスイッチ回路で構成することもできるが、何れの場合にも上述した何れかのスイッチ制御回路１２１による電源または負荷の検出状態により予測されまたは検出されるオーバーシュートの程度によりその値を切り替えることで擬似負荷回路５０での消費電力を不必要に大きくすること無く適切にオーバーシュートを低減させることができるようになる。
【００５０】
上述した各構成に加えて、温度検出手段をさらに備え、検出温度が所定温度より高くなるときに、前記負荷電流制御回路１２は前記擬似負荷回路５０への通電を停止するように構成することが好ましい。
【００５１】
例えば、図１５に示すように、前記電圧制御回路１１にダイオード等を用いた温度検出手段３００をさらに備え、前記温度検出手段３００により過電流による異常な温度上昇を検出すると、素子の熱破壊を回避するために上述した各種の負荷電流制御回路１２による前記擬似負荷回路５０への通電制御に優先して、スイッチ回路１２０をオフする論理回路、例えば、スイッチ制御回路１２１の出力信号をコントロールするゲート回路を備え、前記温度検出手段３００の出力信号でゲート回路を開閉制御するように構成することができる。
【００５２】
上述の実施形態では、前記負荷電流制御回路１２が入力電圧や出力電圧等に基づいて前記擬似負荷回路５０への通電をオンオフ制御する構成について説明したが、前記負荷電流制御回路１２が常に擬似負荷回路５０に通電するように制御するものであってもよい。
【００５３】
例えば、図１６に示すように、エンジン制御等を行なう負荷回路である第一の電子制御装置８０にイグニッションスイッチ７０を介して給電する給電ラインと、セキュリティ管理等を行なう負荷回路である第二の電子制御装置３０にイグニッションスイッチ７０を介することなく給電する二系統の給電ラインを備えたシステムでは、図１６に示すように、第一の電子制御装置８０にスイッチ制御回路１２１を設けて、前記イグニッションスイッチ７０がオフ状態では前記擬似負荷回路５０への通電を遮断し、前記イグニッションスイッチ７０がオン状態では前記擬似負荷回路５０へ通電制御するように構成することができる。
【００５４】
上述の構成によれば、前記イグニッションスイッチ７０がオン状態の場合は常に前記擬似負荷回路５０に通電してオーバーシュートの発生を回避し、前記イグニッションスイッチ７０がオフ状態の場合は前記擬似負荷回路５０を遮断して電力消費を防ぐことができる。
【００５５】
上述した直流電源装置１０は、単独の電源基板として構成して、前記電源２０と前記負荷回路３０の間に実装するように構成することが可能であるが、各負荷回路３０を構成する電子制御基板に組み込むことも可能である。
【００５６】
上述した何れの実施形態も、直流電源装置１０が、電源２０と負荷回路３０との間に直列接続される外付けのブーストトランジスタ４０と、前記ブーストトランジスタ４０に流れる電流をその帰還電圧に基づいて制御することにより所定の出力電圧に調整するＩＣでなる電圧制御回路１１と、前記負荷回路３０と並列に接続される擬似負荷回路５０への通電を制御する負荷電流制御回路１２とを備えて構成される例について説明したが、ブーストトランジスタ４０が前記電圧制御回路１１に内蔵され、一体として構成されるものであってもよい。
【００５７】
さらに、直流電源装置１０としては、図１７に示すように、外付けのブーストトランジスタ４０を除いた回路ブロックで構成されるものであってもよい。つまり、電源２０と負荷回路３０との間に直列接続されるブーストトランジスタ４０に流れる電流をその帰還電圧に基づいて制御することにより所定の出力電圧に調整する電圧制御回路１１と、前記負荷回路３０と並列に接続される擬似負荷回路５０への通電を制御する負荷電流制御回路１２を備えて直流電源装置１０が構成されるものであってもよい。この場合、負荷電流制御回路１２を電圧制御回路１１を構成する集積回路に組み込むことにより、直流電源装置１０の一層の小型化或いはコストダウンを図ることができる。勿論擬似負荷回路５０を当該集積回路に組み込むことも可能であることは言うまでもない。
【００５８】
上述した負荷電流制御回路の構成要素である態様の異なるスイッチ制御回路を複数組み合わせてスイッチ制御回路を構成し、各スイッチ制御回路の出力信号の論理和または論理積により前記スイッチ回路をオン制御するように構成するものであってもよい。前者の場合にはより確実にオーバーシュートの低減が可能になり、後者の場合には複数のスイッチ制御回路の全てが擬似負荷回路に対して通電を要求したときのみスイッチ回路がオン制御される、つまりオーバーシュートの発生する確率の高いときにのみ擬似負荷回路に対して通電されるので、擬似負荷回路による消費電力を低減させることができる。例えば、第一の実施形態によるスイッチ制御回路と第七の実施形態によるスイッチ制御回路を組み合わせてその出力信号の論理積によりスイッチ回路をオン制御するように負荷電流制御回路を構成するものであってもよい。
【００５９】
上述の実施形態では、電源が正の単電源で構成される場合について説明したが、負の単電源または正負の両電源により駆動される負荷回路を備える場合には、負電圧を制御するシリーズレギュレータに負側のオーバーシュートを低減する負荷電流制御回路及び擬似負荷回路を設けて直流電源装置を構成するものであってもよい。
【００６０】
尚、上述した各実施形態は、本発明の一例に過ぎず、本発明の作用効果を奏する範囲において、各ブロックの具体的構成を適宜変更設計できることはいうまでもない。
【図面の簡単な説明】
【００６１】
【図１】本発明による直流電源装置の回路ブロック構成図
【図２】（ａ）は基準電圧電源を備えた電圧制御回路、（ｂ）は基準電圧を分圧生成する電圧制御回路のブロック構成図
【図３】擬似負荷回路として抵抗負荷を使用した直流電源装置の回路ブロック構成図
【図４】擬似負荷回路として容量負荷を使用した直流電源装置の回路ブロック構成図
【図５】擬似負荷回路として電流源を使用した直流電源装置の回路ブロック構成図
【図６】入力電圧モニタ回路を備えた直流電源装置の回路ブロック構成図
【図７】入力電圧モニタ回路を電圧制御回路１１を構成する集積回路に組み込んだ場合の回路ブロック構成図
【図８】電源投入検知回路を備えた直流電源装置の回路ブロック構成図
【図９】出力電圧モニタ回路を備えた直流電源装置の回路ブロック構成図
【図１０】タイマ回路を備えた直流電源装置の回路ブロック構成図
【図１１】ブーストトランジスタ飽和検知回路を備えた直流電源装置の回路ブロック構成図
【図１２】入力電流算出回路を備えた直流電源装置の回路ブロック構成図
【図１３】負荷回路の作動状態に基づいて擬似負荷回路への通電を制御する直流電源装置および負荷回路の回路ブロック構成図
【図１４】擬似負荷回路の負荷を可変制御する直流電源装置の回路ブロック構成図
【図１５】温度検出手段を備えた直流電源装置および負荷回路の回路ブロック構成図
【図１６】別実施形態を示し、二系統の給電ラインを備えた直流電源装置の回路ブロック構成図
【図１７】別実施形態を示す直流電源装置の回路ブロック構成図
【符号の説明】
【００６２】
１０：直流電源装置
１１：電圧制御回路
１２：負荷電流制御回路
３０：負荷回路
４０：ブーストトランジスタ
５０：擬似負荷回路
３００：温度検出手段
【図１】
2007316811.tif 000003
【図２】
2007316811.tif 000004
【図３】
2007316811.tif 000005
【図４】
2007316811.tif 000006
【図５】
2007316811.tif 000007
【図６】
2007316811.tif 000008
【図７】
2007316811.tif 000009
【図８】
2007316811.tif 000010
【図９】
2007316811.tif 000011
【図１０】
2007316811.tif 000012
【図１１】
2007316811.tif 000013
【図１２】
2007316811.tif 000014
【図１３】
2007316811.tif 000015
【図１４】
2007316811.tif 000016
【図１５】
2007316811.tif 000017
【図１６】
2007316811.tif 000018
【図１７】
2007316811.tif 000019